(57)【要約】【課題】床面に塗布された光触媒に安全に紫外線を照射することを目的とする。【構成】底部が開放された容器内部に紫外線を発光する紫外線ランプが設けられていることに加えて前記紫外線が容器外に漏洩することを検知する紫外線漏洩センサーと前記漏洩センサーで紫外線を検知した場合に前記紫外線発光を遮断する制御装置を備えていることを特徴とする光触媒活性化器具。【選択図】図１
2004283812.tif 000002
【特許請求の範囲】
【請求項１】
底部が開放された容器内部に紫外線を発光する紫外線ランプが設けられていることに加えて前記紫外線が容器外に漏洩することを検知する紫外線漏洩センサーと前記漏洩センサーで紫外線を検知した場合に前記紫外線発光を遮断する制御装置を備えていることを特徴とする光触媒活性化器具。
【請求項２】
請求項１の光触媒活性化器具において、前記容器が床面に沿って移動するための車輪を備えていることを特徴とする光触媒活性化器具。
【請求項３】
請求項１または２の光触媒活性化器具において、前記容器内部に化学センサーを搭載していることを特徴とする光触媒活性化器具。
【請求項４】
請求項３の光触媒活性化器具において、前記化学センサーの検出値に応じて前記紫外線の発光量を制御することを特徴とする光触媒活性化器具。
【発明の詳細な説明】
【０００１】
【産業上の利用分野】
本発明は光触媒活性化器具に関する。
【０００２】
【従来の技術】従来技術について述べる。光触媒を用いてホルムアルデヒド等の有毒化学物質を分解浄化する試みはいくつかなされている光触媒を活性化するためには紫外線の照射が必要であるが、屋内では十分な紫外線の照射がなされず、光触媒がその機能を十分に発揮できていない場合が多い。この状況を解決するために、いくつかの提案がなされている。掃除機本体に工夫を施したものがいくつか提案されている。特願平１０−５１４５２１では、吸い込み口と集塵室を連通させ、該集塵室内の気圧を電動送風機によって減圧させることにより、該吸い込み口より取り入れたごみやほこり類を該集塵室内に捕集し、該ごみやほこり類を濾過した後に、空気を排気口から排出する掃除機において、室内照明光あるいは、室外からの太陽光に触れる部品の表面に、光触媒薄膜が形成されていることを特徴とする掃除機についての技術開示がなされている。特願平４−１２４５００では、集塵袋支持台の形状を必要最小にして簡単な構造で安価でコンパクトで取扱性の優れた電気掃除機を供給することを目的として。集塵袋支持台の中央でかつ集塵袋口板で開口部をおおわれる位置に、消臭剤，芳香剤，殺菌剤等の収納部を設ける技術を開示している。特開平７−３１７では、掃除機の内部で高温の蒸気を発生させ噴射させることにより、床面に吸着されたまだら、垢じみなどの分離を容易にし、掃除効率を向上させるとともに、殺菌機能をもつようにすることを目的として、本体内に設置された内部に所定量の水が貯溜される水供給と、該水供給手段から供給される水を加熱させ蒸気を発生させる蒸気発生装置と、駆動手段の作用により吸入されるごみおよび汚染水を分離して貯蔵される集塵手段と、前記本体に結合され、その内側に形成された吸気口および回転される回転雑巾の周辺部に前記発生装置から発生された蒸気を噴射させる蒸気噴射口を具備した吸気ヘッドとから構成される技術を開示している。掃除機の内部の清浄化を考えたものである。
【０００３】特開平５−２２００７９では、電気掃除機の床用吸込具と題して松下電器産業株式会社から、掃除しようとする床面を常にランプで照射している掃除性の優れた床用吸込具を提供することを目的として、ランプの前方に連結具でリンク機構的に連結された複数の屈折板を配設し、１枚の屈折板の下端に固定したローラと、キャスターローラの回転軸に固定したプーリをベルトで連結した構成としているので、キャスターローラの回動方向に連動して屈折板が回動し、常に床用吸込具の進行方向をランプが照射する掃除性の優れた電気掃除機の床用吸込具が得られるという技術を開示している。この技術は掃除機のヘッドにヘッドの操作性を高めるために視界を確保するためのいわゆるヘッドライトを付加するものである。同様の技術については特開平５−２２００８０、特開平５−２４５０８４、特開平５−２５３１５９、特開平５−３１７２１６でも開示されている。いずれも可視光で視界を確保することが目的の技術である。
【０００４】床と近接する部分に工夫を凝らした例がある。特開平６−６３１０８では、紫外線ランプを使用して、室内や廊下等のフロアーを移動して殺菌消毒する装置の提供を目的として、家庭用掃除機を平らにしたような形状で４個の車輪がつき底部のないハウジング内に、複数の紫外線ランプをその進行方向に対して直角にそしてフロアーに平行に設け、フレキシブルなスカートがこのハウジングの底部からフロアー上に垂れ下がり紫外線の漏出を防いでいる。ハンドルがこのハウジングから上部に伸びこの装置を自由な方向に移動させる。バッテリーとＤ／Ａ変換手段から成る電源を上記のハウジングに設けて、上記の紫外線ランプを発光させる技術を開示している。そして、その期待する効果として紫外線ランプがフロアーの殺菌消毒をし、ハウジングとスカートが解放的な場所での使用を可能にし、この装置に電源を内蔵させて、コードレスとなって自由な場所で使用が可能とすることを挙げている。具体的な特許請求項としては、底部のないハウジング、該ハウジング内に設けられた紫外線ランプ、上記のハウジングを移動させる車輪、上記のハウジングの底部からフロアー上に垂れ下がるフレキシブルなスカート、上記のハウジングから上部に伸びるハンドル、より構成されることを特徴とした紫外線ランプ使用の室内や廊下等のフロアーの移動式殺菌消毒装置、底部のないハウジング、該ハウジング内に設けられた紫外線ランプ、上記のハウジングを移動させる車輪、上記のハウジングの底部からフロアー上に垂れ下がるフレキシブルなスカート、上記のハウジングから上部に伸びるハンドル、上記のハウジングに設けられた上記の紫外線ランプ用電源、より構成されることを特徴とした紫外線ランプ使用の室内や廊下等のフロアーの移動式殺菌消毒装置、である。特開２００２−１７７１７５では、電気掃除機で掃除しながら、同時に床や畳、またカーペット上のばい菌の繁殖を抑え、さらに防臭し清潔さを保つようにするという課題に対して、電気掃除機の吸込み口本体に殺菌作用や防臭効果の有る殺菌灯を埋め込み取り付ける。また、殺菌灯を直接目で見たりしないように安全性を高めるため吸込み口本体にセンサー３を取り付け、センサーが床に密着した時のみ殺菌灯２のスイッチが入り殺菌灯が点灯するようにすることを提案している。具体的には、電気掃除機の吸込み口に殺菌防臭効果の有る殺菌灯をはめ込んだ吸込み口および、殺菌防臭効果の有る殺菌灯をはめ込んだ電気掃除機の吸込み口にセンサーを取り付けて安全性を高めた吸込み口という技術開示を行っている。
【０００５】
【公知の従来文献】特願平１０−５１４５２１、特開平５−２２００７９、特開平５−２２００８０、特開平５−２４５０８４、特開平５−２５３１５９、特開平５−３１７２１６、特願平４−１２４５００、特開平６−６３１０８、特開平７−３１７、特開２００２−１７７１７５
【０００６】
【発明が解決しようとする課題】
【０００７】従来の技術では光触媒に紫外線を照射するための簡便で安全な器具が存在しなかった。
【課題を解決するための手段】本発明の光触媒活性化器具は、底部が開放された容器内部に紫外線を発光する紫外線ランプが設けられていることに加えて前記紫外線が容器外に漏洩することを検知する紫外線漏洩センサーと前記漏洩センサーで紫外線を検知した場合に前記紫外線発光を遮断する制御装置を備えていることを第１の特徴とし、第１の特徴に加えて、前記容器が床面に沿って移動するための車輪を備えていることを第２の特徴とし、
第１または第２の特徴に加えて、前記容器内部に化学センサーを搭載していることを第３の特徴とし、
第３の特徴に加えて、前記化学センサーの検出値に応じて前記紫外線の発光量を制御することを第４の特徴とする。
【０００８】
【発明の実施の形態】本発明の光触媒活性化器具において、底部が開放された容器内部に紫外線を発光する紫外線ランプが設けられていることに加えて前記紫外線が容器外に漏洩することを検知する紫外線漏洩センサーと前記漏洩センサーで紫外線を検知した場合に前記紫外線発光を遮断する制御装置を備えている第１の特徴を備える場合には、底部が開放されていることで前記紫外線ランプから発せられる紫外線を床面に照射することができる。かつ、底面以外が遮蔽されているので床面の上に容器が密着して被せてある場合には前記紫外線は容器と床面で囲まれた空間以外には漏れ出ることはない。床面との隙間が開いたり、床面が透明であったりした場合に紫外線が容器外に漏れる可能性があるが、本光触媒活性化器具では容器外に紫外線漏洩センサーを備えているので、前記センサーで漏洩を検出した場合には紫外線照射を遮断する。
第１の特徴に加えて、前記容器が床面に沿って移動するための車輪を備えている第２の特徴を備える場合には、床面を走査することが容易である。車輪は容器内部に複数個備えている場合もあれば容器外部に複数個備える場合もある。また、容器の内部と外部の両方に車輪を備える場合もある。
第１または第２の特徴に加えて、前記容器内部に化学センサーを搭載している第３の特徴を備える場合には、ホルムアルデヒドを定量検出する化学センサーや硫黄化合物を定量検出する化学センサーなどの化学センサーを容器内部に搭載して、紫外線照射前後の前記化学物質の濃度変化を検知する。
第３の特徴に加えて、前記化学センサーの検出値に応じて前記紫外線の発光量を制御する第４の特徴を備える場合には、前記化学物質の濃度変化に応じて予め設定しておいた制御ルールに従って紫外線の発光量を多くしたり少なくしたりといった制御を行う。
【０００９】
【実施例】本発明の実施例１を図１を用いて説明する。図１は本発明の光触媒活性化器具の断面図である。容器１は略直方体形状をしている。上面は幅が１００ｍｍで長さが２５０ｍｍである。高さは７０ｍｍである。図１での上面の左右の幅が上記１００ｍｍに相当する。幅は下面でスカート状に広がっており、幅は１２０ｍｍ、長さは２７０ｍｍである。容器の肉厚は約１５ｍｍである。図に描くように略直方体の下の面は側面の肉厚分だけを残して取り除かれている。前記容器の内部には紫外線発光の蛍光灯が４本備えられている。通常ブラックライト蛍光灯２と呼ばれるものである。光触媒が散布された床面３を前記ブラックライト蛍光灯が照らす構造である。容器の外面には紫外線漏洩センサー４が取り付けられている。容器上面にはこの光触媒活性化器具を操作するための柄５が取り付けられている。さらに、容器の肉厚分の下面にはタッチセンサー６が取り付けられている。タッチセンサーが床面と容器とが離れたことを検知するかまたは前記紫外線漏洩センサーが紫外線を検知した場合には前記ブラックライト蛍光灯は直ちに消えるように制御回路７が取り付けられている。
【００１０】図１の光触媒活性化器具を屋内の床面に対して滑らせるように走査して、床面に塗布した光触媒を紫外線で活性化させる。特に床面に敷いたマットレスに新生児を寝かせる際には事前にマットレスを敷く床面およびその周辺を十分にこの光触媒活性化器具で紫外線を照射しておくことで、床材からわずかに放出されるホルムアルデヒドを光触媒効果で無害化してしまう。床面に塗布した光触媒による無害化反応は紫外線照射後もしばらく続くのでこのような事前の活性化処理の効果は少なくない。光触媒に紫外線を蓄光する作用のある夜光塗料を前記塗布膜に混入させておくと、光触媒反応が長時間持続される。
【００１１】本発明の実施例２について図２を用いて説明する。図２は図１と同様の光触媒活性化器具であるが、タイヤ８を備えていることが異なる。タイヤは図面では容器内に１つ、容器外に１つ取り付けられているように描かれているが実際には図に垂直方向に２つづつ備えているので、計４つのタイヤを備えている。タイヤ自身がタッチセンサーの機能を備えているので、タイヤの１つでも床から離れたら紫外線は遮断される。図２の器具には容器の外面に紫外線感光蛍光膜９が塗布されている。この蛍光膜は紫外線が照射した場合にだけ紫に光る性質を備えている。床面や各種異物で反射して紫外線が容器外に漏れている不測の事態に対して視覚的に認識するための工夫である。
【００１２】本発明の実施例３を説明する。図３は図２と同様の光触媒活性化器具であるが、容器内にホルムアルデヒドセンサー１０を備えていることに特徴がある。また、タイヤが容器内側に配置されていることも特徴である。紫外線照射の効果判定を高める意味で気密シールド１１が垂れ下がっている。この気密シールドはゴム製である。制御回路７ではブラックライト蛍光灯２の消灯、点灯を周期的に制御する。タイヤ８の回転によって紫外線未照射の床面に達した場合には容器上面の赤色ＬＥＤ（図は省略）が点灯する。点灯を確認すると作業者はこの光触媒活性化器具をその位置に固定して１０秒ほど待つ。最初の１秒間は紫外線を未照射の状態で床からのホルムアルデヒドの放出量を前記ホルムアルデヒドセンサーで定量検出する。次に、３秒間ブラックライト蛍光灯を点灯して、その間のホルムアルデヒド放出量の変化を測定して、その後、ブラックライト蛍光灯を消灯してその間のホルムアルデヒド放出量の変化を引き続き測定して、再び３秒間ブラックライトを点灯して同様にホルムアルデヒド放出量の変化を引き続き測定する。このブラックライト蛍光灯の消灯と点灯のインターバルに対してのホルムアルデヒド放出量の測定結果から紫外線照射によるホルムアルデヒド低減効果の定量分析が行えて、その後の光触媒活性化の最適条件を導き出すことができる。一度この測定を行った後は、ブラックライト蛍光灯を連続点灯して、ほぼ一定の速度で走査していく。最適なペースが実現している時には容器上面の緑色ＬＥＤ（図は省略）が点灯、遅い場合には青色ＬＥＤ（図は省略）が点灯、早すぎる場合には黄色ランプ（図は省略）が点灯といった具合にペース指示が出される。
【００１３】本発明の実施例４を図３を流用して説明する。実施例３と同じ構成の光触媒活性化器具であるが、この実施例では、ブラックライト蛍光灯の照射強度を前記ホルムアルデヒドセンサーの検出値によって変化させる例である。ホルムアルデヒドを高濃度で検出した場合にはブラックライト蛍光灯の発光量を増加させて、濃度が低い場合には発光量を低減する。
【００１４】
【発明の効果】本発明の光触媒活性化器具を用いると、床面に塗布した光触媒を紫外線によって活性化させて、ホルムアルデヒドなどの有害物質を無害化させることができる。強い紫外線を直視すると目を傷めるなどの障害が危惧されるが、本発明の器具では安全にしかも最適な紫外線を床面に照射できる。
【図面の簡単な説明】
【図１】本発明の実施例１を示す構成図である。
【図２】本発明の実施例２を示す構成図である。
【図３】本発明の実施例３を示す構成図である。
【符号】
１は容器、２はブラックライト蛍光灯、３は床面、４は紫外線漏洩センサー、５は柄、６はタッチセンサー、７は制御回路、８はタイヤ、９は紫外線感光蛍光膜、１０はホルムアルデヒドセンサー、１１は気密シールドである。
【図１】
2004283812.tif 000003
【図２】
2004283812.tif 000004
【図３】
2004283812.tif 000005